(57)【特許請求の範囲】
【請求項１】
プラスチック製の矩形状枠体と、該枠体の相対向する辺に取り付けられたプラスチック段ボール製の２枚の側板と、該枠体の他の相対向する辺に取り付けられたプラスチック段ボール製の２枚の側板と底板からなるコの字状底板付き側板と、該枠体の一辺に取り付けられたプラスチック段ボール製の蓋とからなり、該２枚の側板の枠体取り付け部と、該底板付き側板の枠体取り付け部の下部と、側板の中央部と、側板と底板の連結部とにプラスチック製段ボールの厚さの一部を切断してなるヒンジ部を設け、箱形の組立状態が扁平な折り畳み状態に変化するようにするとともに、前記２枚の側板の内側に、筒状物の端部を保持するための筒状物支えを側板と一体に設けた筒状物の梱包装容器であって、該筒状物支えが筒状物の端部を受容するための切り欠き部を有する筒状物支え板からなり、筒状物端部を切り欠き部にガイドするガイドテーパーを有するものであり、該筒状物支え板が剛性シートと軟質シートを複数枚交互に積層させた積層体からなり、軟質シートが剛性シートより切り欠き部の内側に突き出した構造のものである筒状物の梱包装容器。
【請求項２】
プラスチック製の矩形状枠体と、該枠体の相対向する辺に取り付けられたプラスチック段ボール製の２枚の側板と、該枠体の他の相対向する辺に取り付けられたプラスチック段ボール製の２枚の側板と底板からなるコの字状底板付き側板と、該枠体の一辺に取り付けられたプラスチック段ボール製の蓋とからなり、該２枚の側板の枠体取り付け部と、該底板付き側板の枠体取り付け部の下部と、側板の中央部と、側板と底板の連結部とにプラスチック製段ボールの厚さの一部を切断してなるヒンジ部を設け、箱形の組立状態が扁平な折り畳み状態に変化するようにするとともに、前記２枚の側板の内側に、筒状物の端部を保持するための筒状物支えを側板と一体に設けた筒状物の梱包装容器であって、該筒状物支えが筒状物の端部を受容するための切り欠き部を有する筒状物支え板からなり、筒状物端部を切り欠き部にガイドするガイドテーパーを有するものであり、該筒状物支えが弾性部材を介して側板と一体に設けられており、該弾性部材が下方に広がるテーパーを有する板状物である筒状物の梱包装容器。
【請求項３】
プラスチック製の矩形状枠体と、該枠体の相対向する辺に取り付けられたプラスチック段ボール製の２枚の側板と、該枠体の他の相対向する辺に取り付けられたプラスチック段ボール製の２枚の側板と底板からなるコの字状底板付き側板と、該枠体の一辺に取り付けられたプラスチック段ボール製の蓋とからなり、該２枚の側板の枠体取り付け部と、該底板付き側板の枠体取り付け部の下部と、側板の中央部と、側板と底板の連結部とにプラスチック製段ボールの厚さの一部を切断してなるヒンジ部を設け、箱形の組立状態が扁平な折り畳み状態に変化するようにするとともに、前記２枚の側板の内側に、筒状物の端部を保持するための筒状物支えを側板と一体に設けた筒状物の梱包装容器であって、該筒状物支えが筒状物の端部を受容するための切り欠き部を有する筒状物支え板からなり、筒状物端部を切り欠き部にガイドするガイドテーパーを有するものであり、該筒状物支えが弾性部材を介して側板と一体に設けられており、該筒状物支え板と弾性部材の間に突当板が設けられており、該突当板が、筒状物支え板の切り欠き部に相当する面部分に表出した突当面部と、突当部の上辺の中央部から上方に短冊状に伸び、先端が内側に折り曲げられた筒状物押さえ爪とを有する筒状物の梱包装容器。
【請求項４】
筒状物支えの表面に滑り性を有する緩衝シートが張り付けられている請求項１〜３いずれか記載の筒状物の梱包装容器。
【請求項５】
蓋の内面側中央部に筒状物を非接触又は接触状態で保持し得る蓋天部緩衝シートが張り付けられている請求項１〜４いずれか記載の筒状物の梱包装容器。
【請求項６】
蓋が、開口辺の中央部を下方に直角に折り曲げたタブ部と該タブ部の一部を内側に折り曲げたロック爪部からなり、枠体に係合可能な係止部を有する請求項１〜５いずれか記載の筒状物の梱包装容器。
【請求項７】
筒状物の梱包部署で請求項１〜６いずれか記載の梱包装容器に筒状物を入れ、筒状物の使用部署に搬送し、筒状物を取り出して使用後、梱包装容器を折り畳んで筒状物の梱包部署に返送することを繰り返し行うことを特徴とする筒状物の梱包装方法。
【発明の詳細な説明】
【０００１】
【発明が属する技術分野】
本発明は、筒状物の梱包装容器及び梱包装方法に関する。
【０００２】
【従来の技術】
従来、フィルムを巻き取ったフィルムロール等の筒状物を梱包部署から使用部署に搬送する場合、筒状物を紙製の段ボール箱に入れて搬送することが行われていた。
紙製の段ボール箱は一度使用すると損傷や吸湿などで強度が低下するため、使用不能となることが多く、段ボールゴミとなる。また、筒状物を支えるアタッチメントとしての支え板、スペーサーなどや箱の固定に用いられているポリプロピレンバンド、テープ、接着剤もゴミとして廃棄しなければならなかった。そこで、何度も繰り返し再使用が可能であり、環境に負荷を与えず、かつ搬送が容易な上、筒状物の梱包が容易で安定して梱包できる梱包装通い容器が要求されている。
【０００３】
【発明が解決しようとする課題】
本発明の目的は、筒状物を容易に自動で梱包、解梱することができ、かつ梱包部署から使用部署まで搬送し、筒状物を使用した後、折り畳んでワンタッチで減容化し、製造部署に返送することを繰り返し行うことが可能な耐久性、長寿命性、繰り返し使用可能な梱包装容器であって、ゴミの発生がなく、また、廃棄する場合はマテリアルリサイクル性に優れる環境対応型の筒状物の梱包装容器及びこれを用いた梱包装方法を提供することにある。
【０００４】
【課題を解決するための手段】
本発明は、プラスチック製の矩形状枠体と、該枠体の相対向する辺に取り付けられたプラスチック段ボール製の２枚の側板と、該枠体の他の相対向する辺に取り付けられたプラスチック段ボール製の２枚の側板と底板からなるコの字状底板付き側板と、該枠体の一辺に取り付けられたプラスチック段ボール製の蓋とからなり、該２枚の側板の枠体取り付け部と、該底板付き側板の枠体取り付け部の下部と、側板の中央部と、側板と底板の連結部とにプラスチック製段ボールの厚さの一部を切断してなるヒンジ部を設け、箱形の組立状態が扁平な折り畳み状態に変化するようにするとともに、前記２枚の側板の内側に、筒状物の端部を保持するための筒状物支えを側板と一体に設けたことを特徴とする筒状物の梱包装容器に関する。
【０００５】
本発明はまた、筒状物の梱包部署で前記の梱包装容器に筒状物を入れ、筒状物の使用部署に搬送し、筒状物を取り出して使用後、梱包装容器を折り畳んで筒状物の梱包部署に返送することを繰り返し行うことを特徴とする筒状物の梱包装方法に関する。
【０００６】
【作用】
本発明の梱包装容器は、部材がすべて一体化して構成されており、ひもやテープなどの包装用の副資材を必要とせず、ワンタッチで組立て及び折り畳みが可能である。また、プラスチック段ボール等のリサイクル可能な環境に害を与えない材料を使用しており、何度も再生でき、資源、資材が節減でき、多少のイニシャルコストはかかるがファイナルコストを大幅に低減することができる。また、紙製段ボール、並びにひもやテープなどの包装用の副資材は１回使用毎にゴミが発生せず、廃棄する場合もマテリアルリサイクル可能なＰＰ、ＰＥ容器素材及び部品素材で統一することで、回収、再利用が可能である。さらに、素材はメルト油化分解により処理可能であるため、サーマルリサイクル原料となり、燃料への活用においても、焼却時のＳＯｘ、ＮＯｘなどの有害物を発生せず、環境負荷を低減し、環境対応にも優れている。
また、部材は紙粉などを発塵しない材料であるためクリーンであり、また空隙構造の板状物であり軽量で保冷性にも優れている。
【０００７】
本発明の筒状物の梱包装方法は、上記の梱包装容器を用いているので、筒状物の挿入が容易で、かつ安定して固定保持できる。また、筒状物の自動挿入にも対応できる。また、筒状物を使用後、簡単に折り畳むことができ、梱包部署に返送する際には、容器の容積を大幅に小さくすることができ、部材が一体構造であるため折り畳みもワンタッチに行うことができ、収納及び減容を簡単に行うことができる。また、副資材、部材が分割タイプのものと異なり、紛失のおそれや別管理の煩雑さがなく、使い勝手に優れている。
【０００８】
【実施例】
図１は本発明の一態様の梱包装容器の箱形の組立状態を示す斜視図であり、図２は図１の梱包装容器の折り畳み状態を示す斜視図である。図３は図１の梱包装容器のＡ−Ａ部分断面図であり、図４はＢ−Ｂ部分断面図である。ポリプロピレン製の矩形の枠体１の相対向する枠体短辺１ａにポリプロピレン製のプラスチック段ボールからなる２枚の側板２がそれぞれ取り付けられており、側板の枠体取り付け部にはプラスチック製段ボールの厚さの一部を切断してなるヒンジ部４が設けられ、側板２は内側に折り曲げ可能な構造となっている。枠体及びプラスチック段ボールの材質は上記のものに限られないが、溶融再生、再利用が可能であり、廃棄の際にはリサイクルが可能なように油化又は分解可能なプラスチックであることが好ましい。
【０００９】
枠体１の枠体長辺１ｂには、プラスチック製段ボール製のコの字状の底板３ａと側板３ｂ、３ｃとからなる底板付き側板３が取り付けられている。側板３ｂ、３ｃの各々の枠体取り付け部下部と、側板３ｂ、３ｃの各々の中央部と側板３ｂ、３ｃと底板３ａの各々の連結部にはプラスチック製段ボールの厚さの一部を切断してなるヒンジ部４が設けられており、コの字状の底板付き側板３は折り折り畳み可能な構造となっている。枠体１の一辺にはヒンジ部４′を介して蓋５が取り付けられている。蓋の内面側の中央部には発泡ポリスチレン製の筒状物を非接触又は接触状態で保持し得る蓋天部緩衝シート６が張り付けられている。
【００１０】
蓋５の開口辺５ａには、中央部に蓋５のプラスチック製段ボールを下方に直角に折り曲げたタブ部１０ａが設けられ、タブ部１０ａ下部には左右にタブ部１０ａの一部を内側に折り曲げたロック爪部１１ａが設けられており、枠体１に係合可能な係止部を構成している。この係止部により簡単に蓋をすることができる。
【００１１】
側板２の各々の内側には筒状物の端部を保持するための筒状物支えが側板と一体に設けられている。この実施例においては、筒状物の端部を受容する半円形底部を持つ切り欠き部７を有する筒状物支え板８が板状の発泡ウレタン製の弾性部材９を介して一体に設けられている。筒状物支え板には筒状物の端部が切り欠き部７容易に受容されるように筒状物の端部をガイドするガイドテーパー１２が設けられている。
この弾性部材は、収納する筒状物の長さが変化した場合においても、筒状物の側面を保持できるようなバネ弾性力を有する伸縮部材であることが好ましい。弾性部材としては、気体を内包するマット、空気袋、発泡ポリエチレン、発泡ポリプロピレン、発泡ウレタン、スポンジ、ゴム弾性体などの材質からなるものが好ましく、必要により金属バネ体を用いてもよい。また、筒状物の端部を受容する切り欠き部の形状は、半円形のほかに、矩形であっても、多角形であっても、放物線形であってもよい。また、支えと弾性部材により筒状物が保持できれば切り欠き部は必ずしも必要ではない。
また、本実施例においては、筒状物の外側を筒状物支えで保持しているが、筒状物の筒内に挿入された筒あるいは棒により筒状物を保持してもよい。
【００１２】
図３は図１のＡ−Ａ断面図、図４は図１のＢ−Ｂ断面図である。弾性部材９は下方に広がるテーパーを有しており、筒状物をガイドし入れやすく、また弾性を有するため筒状物の長さの変化に対応でき、筒状物の両端を押さえ、安定して収納することができる。
【００１３】
筒状物支え板８の表面には、滑り性を有する高密度ポリプロピレン製表層シート８ａが張り付けられており、筒状物の受容性を良好にしている。表層シート８ａの材質としてはその他に高密度ポリエチレン、パーフルオロエチレンなどが用いられる。シートは単層のみならず、複層化したものであってもよい。滑り性の他に耐久性、耐引き裂き性に優れたものが好ましい。筒状物支え板８は剛性シート８ｂと緩衝軟質シート８ｃを複数枚交互に積層した積層体からなり、緩衝軟質シートが剛性シートより切り欠き部内側上部に突き出した構造をしており、筒状物やそのカバーフィルムの損傷を防止している。剛性シート８ｂとしてはポリプロピレンシートが用いられており、ポリエチレンシート、プラスチック製段ボールであってもよく、緩衝軟質シート８ｃとしては発泡ポリエチレンシートが用いられており、発泡ポリプロピレンシート等も用いられる。
【００１４】
筒状物支え板８と弾性部材９の間には、プラスチック段ボール製の突当板１３が設けられており、該突当板１３が筒状物支え板の切り欠き部に相当する面部分で半円形の形状に表出した突当面部１３ａと、突当面部１３ａの上辺の中央部から上方に短冊状に伸び、先端が内側に折り曲げられて筒状物押さえ爪１３ｂを形成している。この筒状物押さえ爪１３ｂにより筒状物が安定的に固定される。また、突き当て板１３の短冊の下部の突当面部１３ａには左右に切り込みが入れられており、筒状物押さえ爪１３ｂに弾性を付与し、筒状物の挿入時に筒状物押さえ爪１３ｂを開放ガイドし、筒状物の挿入を容易にするとともに、挿入後はプラスチックのバネ弾性により筒状物押さえ爪１３ｂを平面に戻し、筒状物押さえ爪１３ｂはロック状態となり、筒状物が安定的に固定される。
【００１５】
底板３ａには中央部に蓋天部緩衝シート６と同じ材質の底部緩衝シート１４が張り付けられており、筒状物を大きな衝撃より保護する。底板３ａの側縁は上部に折れ曲がってタブ部３ａ′を形成し、タブ部３ａ′には側板２の下端の一部を折り曲げて形成した側板係止用突起１５を梱包装容器を組み立てたときに嵌合して側板２を固定するための嵌合孔１６が設けられている。
【００１６】
図１に示す箱型の組立状態の梱包装容器に筒状物を挿入すると、筒状物は損傷せずに、容易に安定に保持して梱包することができる。筒状物を取り出した後は、図２、図３及び図４に示すように、左右の側板２をヒンジ部４を軸として上に引き上げ、次いで底板付き側板をヒンジ部４で折り畳むことにより、一体化した保持アタッチメントがワンタッチで簡単に扁平な形状に折り畳まれ、容積を大幅に減少することができる。枠体１の各短辺１ａ外側には、中央部に下方に折り曲げられたタブ部１０ｂが設けられ、タブ部１０ｂ下部には左右にタブ部１０ｂの一部を内側に折り曲げたロック爪部１１ｂが設けられている。梱包装容器の折り畳み時には、ロック爪部１１ｂが嵌合孔１６に嵌合し、折り畳み状態を維持する。
【００１７】
【発明の効果】
以上説明したように、本発明の梱包装容器及び梱包装方法は、筒状物を自動又は半自動で容易に、安定に保持して梱包することができる。また、弾性部材を備えることにより筒状物の幅の変化にも追従することができる。更に、本発明の梱包装容器は梱包部署から使用部署まで搬送し、筒状物を取り出した後、ワンタッチで折り畳んで製造部署に返送することを繰り返し行うことが可能なリユース通い箱であり、分離された部材、部品がなく、結束バンド、テープ、接着剤などのゴミの発生がない。また、使用部材として環境負荷の少ない循環可能な部材を使用すれば、廃棄する場合もリサイクル性にも優れている。
【図面の簡単な説明】
【図１】本発明の梱包装容器の箱形の組立状態を示す斜視図である。
【図２】本発明の梱包装容器の折り畳み状態を示す斜視図である。
【図３】図１のＡ−Ａ断面図である。
【図４】図１のＢ−Ｂ断面図である。
【符号の説明】
１    枠体
１ａ  枠体短辺
１ｂ  枠体長辺
２    側板
３    底板付き側板
３ａ  底板
３ａ′タブ部
３ｂ  側板
３ｃ  側板
４    ヒンジ部
４′  ヒンジ部
５    蓋
６    蓋天部緩衝シート
７    切り欠き部
８    筒状物支え板
８ａ  表層シート
８ｂ  剛性シート
８ｃ  緩衝軟質シート
９    弾性部材
１０ａ  タブ部
１０ｂ  タブ部
１１ａ  ロック爪部
１１ｂ  ロック爪部
１２    ガイドテーパー
１３    突当板
１３ａ  突当面部
１３ｂ  筒状物押さえ爪
１４    底部緩衝シート
１５    側面係止用突起
１６    嵌合孔
【図１】
0004632511.tif 000002
【図２】
0004632511.tif 000003
【図３】
0004632511.tif 000004
【図４】
0004632511.tif 000005